(57)【要約】【課題】  持ち運びや取り付け作業を容易且つ安全に行うことのできるノイズフィルタを提供する。【解決手段】  本願発明に係るノイズフィルタ１は、フィルタ回路部を囲包する外殻筐体２の端子台１３に隣接して該筐体の両端部に、把手部１７を配設した。このような構成としたことにより、安全な作業で容易に大型ノイズフィルタ１の取り付けを行うことができる。【選択図】  図１
2011244407.tif 000002
【特許請求の範囲】
【請求項１】
フィルタ回路部を囲包する外殻筐体の端子台に隣接して該筐体の両端部に、把手部を配設したことを特徴とするノイズフィルタ。
【請求項２】
前記把手部は、前記端子台に隣接した端板に両端部を取付けたＵ形部材で構成したことを特徴とする請求項１に記載のノイズフィルタ。
【発明の詳細な説明】
【技術分野】
【０００１】
本発明はノイズフィルタに関し、特に、フイルタの外殻ケースとなる筐体の両端部にアース端子の取付け部を兼ねた把手を設けて持ち運びや他の機器への取付け作業を容易にした大型のノイズフィルタに関する。
【背景技術】
【０００２】
従来、電源ラインや通信ライン等を経由して外部から電気、電子機器内に侵入するノイズにより、これらの機器が誤作動するのを防止するため、種々のノイズフィルタが開発されている。これらのノイズフィルタはチョークコイルおよびコンデンサの複合部品で構成され、通常はフィルタの外殻ケースを形成する筐体内に収容され、電源あるいは外部機器と接続する端子部やアース端子部が前記筐体の端部に集めて形成されている。例えば特許文献１には、トロイダル形磁心に巻線したコモンモードチョークコイルを電源ラインに接続することでラインに流れるノイズを減衰するノイズフィルタが記載されているが、これはトロイダル形磁心を内蔵するものの、その全体外形は概ね直方体形の筐体（シールドケース）で覆われ、かつ、その長手方向両端部には複数個の外部接続端子部が露出して設けられ、また、筐体の底面板をフランジ状に外側へ張り出して外部機器への取付け部を形成するとともに、この張出しフランジ部に端子部を設けた構成としている。
【０００３】
また、特許文献２には、電子機器への取付け高さを低くするために、フィルタの外殻ケースの側部を傾斜面に形成し、この傾斜面に対して垂直に入力端子やアース端子のインレットケースを配置し、底面に取付けフランジを張り出させたノイズフィルタが記載されている。さらに、特許文献３には電源接続コネクタとなるインサート部材とインレット部材の２種類の外部端子部を選択的に接続できる共通接続部をフィルタ本体側に設けたノイズフィルタが開示されている。
【先行技術文献】
【特許文献】
【０００４】
【特許文献１】特開２００５−１９８１４６号特許公開公報
【特許文献２】特開２０１０−１６８５４号特許公開公報
【特許文献３】特開２００６−２６９４６７号特許公開公報
【発明の概要】
【発明が解決しようとする課題】
【０００５】
上述したノイズフィルタはいずれも片手で軽く持ち運びできる程度の小形のフィルタであるが、中には両手で持ち上げなければならないような大型のノイズフィルタも存在する。この大型ノイズフィルタにあっては、かなり重量もあり、しかも外形は特段の突出部もない直方体形のものが多いので、持ち運びや対象とする設備機器に取り付ける際の扱いに不便を伴なう。特に、大型の電源設備など大型電気・電子機器に対してはノイズフィルタも大型となり、このような大型ノイズフィルタを前記機器の鉛直な側板部分にボルト止めで取り付けるような場合は、２人掛りの作業を強いられ、作業中に落下事故等を起こす危険があった。
【０００６】
本発明はこのような事情に鑑みてなされたものであり、大型のフィルタの筐体（ケース）を持ち運びおよび取り付けやすく形成したノイズフィルタを提供することにある。
【課題を解決するための手段】
【０００７】
上記目的を達成するため本発明に係るノイズフィルタは、フィルタ回路部を囲包する外殻筐体の端子台に隣接して該筐体の両端部に、把手部を配設したことを特徴とする。
【０００８】
本発明の１つの形態によれば、前記把手部は、前記端子台に隣接した端板に両端部を取付けたＵ形部材で構成したことを特徴とする。
【発明の効果】
【０００９】
本発明のノイズフィルタでは、フィルタ回路部を囲包する外殻筐体の端子台に隣接して該筐体の両端部に、前記筐体の側板方向へ伸長する把手部を配設したことにより、この把手部分に手を掛けて持ち運びすることができ、また、電気・電子設備の鉛直な側面に設置する場合にも安全かつ容易に設置作業を行うことができる。
【図面の簡単な説明】
【００１０】
【図１】本願発明の実施例１に係るノイズフィルタの外観斜視図である。
【図２】図１に示すノイズフィルタの側面図である。
【図３】図１に示すノイズフィルタの長手方向端部の正面図である。
【図４】図１に示すノイズフィルタの平面図である。
【発明を実施するための形態】
【００１１】
次に、本発明を図面を参照して各種の実施例について説明する。なお、これらの実施例はいずれも大型のノイズフィルタについて例示したものであるが、本発明はこのような大型のものに限定されず、また、内部の回路構成も単相あるいは三相回路、その他の形態のものにも同様に適用可能である。
【実施例１】
【００１２】
図１〜図４を参照すれば、実施例１に係る大型ノイズフィルタ１は、ライン−グラウンド間に流れるノイズを減衰させるチョークコイルおよび各種のコンデンサ（Ｃｘコンデンサ、Ｃｙコンデンサ等）から成るフィルタ回路部（図示せず）が全体として直方体形ないし台形状の外殻ケース（筐体）２に収容されている。この外殻ケース２は対象とする機器（図示省略）への取付け穴３を備えた底板４と、左右の側板５と、後述する端子台６を露出させた長手方向前後部の端板７（上側端板１１、下側端板１２）と、側板５および端板７の上縁に結合される上板８とを有している。図示のように側板５および上板８には内部の熱を逃がす通気用の溝孔９が形成されている。
【００１３】
端子台６はケース２の長手方向両端部の開口部に、かつ左右の側板５に挟まれるようにして該側板に止めねじ１０によって固着されている。図１および図３に明示されるように、端子台６の上部と上板８との間、および端子台６の下部と底板４との間は、それぞれ上側端板１１および下側端板１２によって閉塞されている。なお、上側端板１１は上板８の端部をＬ形に折曲して構成し、これによって上側端板１１と上板８とを一体の板部材とすることもできる。また、底板４と側板５は折曲げ加工による一体の部材で構成してもよいことは勿論である。端子台６上には、電源端子その他外部機器に接続される各種の端子部１３が設けられている。
【００１４】
また、端子台６の下側に位置する下側端板１２には、Ｌ形に折曲したＬ形部材１４が止めねじ１５等の手段で固着され、Ｌ形部材１４の一辺部、具体的にはＬ形の上側の上辺部１４ａにはアース端子１６が設けられている。
【００１５】
さらに、端子台６の下側に位置する下側端板１２には、ケース２の短手方向に、Ｌ形部材１４を跨ぐようにＵ字形の把手部１７ａが取り付けられている、また、ケース２の対向する面の下側端板にも同様に、Ｕ字形の把手部１７ｂが取り付けられており、作業者は、この二つの把手部１７ａ、１７ｂを握持できるようになっている。
【００１６】
このような構成により、把手部１７ａ、１７ｂを持って、ノイズフィルタ１を持ち運びすることができる。また、持ち運びだけでなく、機器への取付け作業においても、例えば機器の鉛直な側面にノイズフィルタ１を取り付ける場合にも、底板４に手を掛けることなく把手部となる把手部１７a、１７ｂを手でつかんで持ち上げ、底板部分を前記機器の鉛直な側面に当てて取り付けることにより、安全な作業で容易に大型ノイズフィルタ１の取り付けを行うことができる。
【００１７】
また、本実施例においては、把手部１７をＵ形部材により形成したが、端板を屈曲させてＬ字形部材やコの字形部材としてもよいし、把手部の形状は上述したものに限られるものではない。
【００１８】
以上説明したように本発明によれば、把手形成のための手数や加工もきわめて簡単であり、把手のためにケース全体が大きくなることもなく、また、把手が他の機器の邪魔になることもなく、製造コストの低減化が図られる。本発明は特に大型〜中型のノイズフィルタに適用して有用である。
【符号の説明】
【００１９】
１  ノイズフィルタ
２  外殻ケース
３  取り付け穴
４  底板
５  側板
６  端子台
７  端板
８  上板
９  溝孔
１０  止めねじ
１１  上側端板
１２  下側端板
１３  端子部
１４  Ｌ形部材
１５  止めねじ
１６  アース端子
１７  把手部
【図１】
2011244407.tif 000003
【図２】
2011244407.tif 000004
【図３】
2011244407.tif 000005
【図４】
2011244407.tif 000006